(57)【要約】【課題】機器の異なる面に配置された複数の操作部材についての割当状況を、ユーザーが容易に確認できるようにした電子機器、電子機器の制御方法、プログラム、及び、記録媒体を提供する。【解決手段】本発明の電子機器は、第１の面に備えられた第１の操作部材と、第２の面に備えられた第２の操作部材と、第１の面に備えられた第１の表示手段と、第２の面に備えられた第２の表示手段と、操作部材に割り当てられた機能を示すガイド表示の表示指示があったことに応じて、前記第１の表示手段に少なくとも前記第１の操作部材に割り当てられた機能を示す表示を行わせるとともに、前記第２の表示手段に前記第２の操作部材に割り当てられた機能を示す表示を行わせるように制御する制御手段と、を有することを特徴とする。【選択図】図７
2019193131.tif 000002
【特許請求の範囲】
【請求項１】
第１の面に備えられた第１の操作部材と、
第２の面に備えられた第２の操作部材と、
第１の面に備えられた第１の表示手段と、
第２の面に備えられた第２の表示手段と、
操作部材に割り当てられた機能を示すガイド表示の表示指示があったことに応じて、前記第１の表示手段に少なくとも前記第１の操作部材に割り当てられた機能を示す表示を行わせるとともに、前記第２の表示手段に前記第２の操作部材に割り当てられた機能を示す表示を行わせるように制御する制御手段と、
を有することを特徴とする電子機器。
【請求項２】
前記表示指示があったことに応じて、前記制御手段は、前記第１の表示手段に前記第２の操作部材に割り当てられた機能をさらに示す前記表示を行わせるように制御する
ことを特徴とする請求項１に記載の電子機器。
【請求項３】
前記表示指示があったことに応じて、前記制御手段は、前記第２の表示手段に前記第１の操作部材に割り当てられた機能を示さない前記表示を行わせるように制御する
ことを特徴とする請求項１または２に記載の電子機器。
【請求項４】
前記表示指示があったことに応じて、前記制御手段は、前記第１の表示手段に操作部材の配置をさらに示す前記表示を行わせるとともに、前記第２の表示手段に操作部材の配置を示さない前記表示を行わせるように制御する
ことを特徴とする請求項１〜３のいずれか１項に記載の電子機器。
【請求項５】
前記第２の表示手段の解像度は前記第１の表示手段の解像度よりも低い
ことを特徴とする請求項１〜４のいずれか１項に記載の電子機器。
【請求項６】
前記第１の表示手段は３色以上の表示が可能であり、
前記第２の表示手段は２色のみの表示が可能である
ことを特徴とする請求項１〜５のいずれか１項に記載の電子機器。
【請求項７】
前記制御手段は、さらに、複数の機能のうちユーザーに選択された機能を、前記第１の操作部材と前記第２の操作部材のうちユーザーに選択された操作部材に対して割り当てるように制御する
ことを特徴とする請求項１〜６のいずれか１項に記載の電子機器。
【請求項８】
前記表示指示は、前記第１の操作部材に割り当てられた機能と前記第２の操作部材に割り当てられた機能との変更を開始するための指示である
ことを特徴とする請求項７に記載の電子機器。
【請求項９】
撮像手段をさらに有し、
前記第１の表示手段は、撮像される被写体と反対側の背面に備えられた表示手段であり、
前記第２の表示手段は、上面に備えられた表示手段である
ことを特徴とする請求項１〜８のいずれか１項に記載の電子機器。
【請求項１０】
前記表示指示があったことに応じて、前記制御手段は、複数の第２の操作部材にそれぞれ割り当てられた複数の機能を示す表示を前記第２の表示手段に行わせるように制御し、
前記表示指示の後に、前記複数の第２の操作部材のうちのいずれかを選択する選択指示
があったことに応じて、前記制御手段は、前記選択指示に応じて選択された第２の操作部材が識別可能になるように、前記第２の表示手段の表示を制御する
ことを特徴とする請求項１〜９のいずれか１項に記載の電子機器。
【請求項１１】
前記選択指示の後に、割り当てられた機能の変更対象として前記複数の第２の操作部材のうちのいずれかを決定する決定指示があったことに応じて、前記制御手段は、前記決定指示に応じて前記変更対象として決定された第２の操作部材が識別可能となるように、前記第２の表示手段の表示を制御する
ことを特徴とする請求項１０に記載の電子機器。
【請求項１２】
第１の面に備えられた第１の操作部材と、
第２の面に備えられた第２の操作部材と、
第１の面に備えられた第１の表示手段と、
第２の面に備えられた第２の表示手段と、
を有する電子機器の制御方法であって、
操作部材に割り当てられた機能を示すガイド表示の表示指示があったことに応じて、前記第１の表示手段に少なくとも前記第１の操作部材に割り当てられた機能を示す表示を行わせるように制御するステップと、
前記表示指示があったことに応じて、前記第２の表示手段に前記第２の操作部材に割り当てられた機能を示す表示を行わせるように制御するステップと、
を有することを特徴とする電子機器の制御方法。
【請求項１３】
コンピュータを、請求項１〜１１のいずれか１項に記載の電子機器の各手段として機能させるためのプログラム。
【請求項１４】
コンピュータを、請求項１〜１１のいずれか１項に記載の電子機器の各手段として機能させるためのプログラムを格納したコンピュータが読み取り可能な記録媒体。
【発明の詳細な説明】
【技術分野】
【０００１】
本発明は、電子機器、電子機器の制御方法、プログラム、及び、記録媒体に関し、特に、複数の面に操作部材を有する電子機器における、操作部材に割り当てられた機能のガイド表示に関する。
【背景技術】
【０００２】
割り当てられた機能を変更可能なカスタマイズキーを有する電子機器が数多く知られている。電子機器に搭載される機能は年々増えており、ユーザーがカスタマイズキーに割り当てたい機能も年々増え、カスタマイズキーも増えている。どのカスタマイズキーにどの機能のショートカットが割り当たっているかをユーザーが覚えておくことは困難であるため、カスタマイズキーに割り当てられた機能の一覧を電子機器で表示し、当該一覧をユーザーが容易に確認できる機能の搭載が望まれる。例えば、特許文献１に開示の情報処理装置は、登録された機能に対応するカスタマイズキーをユーザーが使用するタイミングで表示する。
【先行技術文献】
【特許文献】
【０００３】
【特許文献１】特開２００６−２６０５４４号公報
【発明の概要】
【発明が解決しようとする課題】
【０００４】
しかしながら、特許文献１に開示の技術を用いても、電子機器の複数の面のうち表示部がある面とは異なる面にあるカスタマイズキーについての割当状況を当該表示部で確認する場合に、ユーザーが割当状況を容易に確認できないことがある。具体的には、電子機器の操作に慣れ、キー配置（ボタン配置）を記憶していないと、割当状況の確認の度に上記カスタマイズキーが設けられた操作面を見なければならず、使い勝手が悪い。また、カスタマイズキーに限るものではなく、ユーザーがカスタマイズできない予め機能が割り当てられている操作部材についても、ユーザーが操作部材に割り当てられた機能を確認したい場合があり、この場合にも同じことが言える。また、ユーザーがカスタマイズできない場合であっても、動作モードによって同じ操作部材に異なる機能が割り当てられる場合があり、ユーザーが操作部材に割り当てられた機能を確認したい要望はある。
【０００５】
そこで本発明は、機器の異なる面に配置された複数の操作部材についての割当状況を、ユーザーが容易に確認できるようにした電子機器、電子機器の制御方法、プログラム、及び、記録媒体を提供することを目的とする。
【課題を解決するための手段】
【０００６】
本発明の電子機器は、第１の面に備えられた第１の操作部材と、第２の面に備えられた第２の操作部材と、第１の面に備えられた第１の表示手段と、第２の面に備えられた第２の表示手段と、操作部材に割り当てられた機能を示すガイド表示の表示指示があったことに応じて、前記第１の表示手段に少なくとも前記第１の操作部材に割り当てられた機能を示す表示を行わせるとともに、前記第２の表示手段に前記第２の操作部材に割り当てられた機能を示す表示を行わせるように制御する制御手段と、を有することを特徴とする。
【発明の効果】
【０００７】
本発明によれば、機器の異なる面に配置された複数の操作部材についての割当状況を、ユーザーがより確認しやすくなる。
【図面の簡単な説明】
【０００８】
【図１】本実施形態に係るデジタルカメラの外観図である。
【図２】本実施形態に係るデジタルカメラのブロック図である。
【図３】本実施形態に係る背面表示部の画面例である。
【図４】本実施形態に係るカスタマイズキーに割り当て可能な機能の一覧である。
【図５】本実施形態に係る上面表示部の画面例である。
【図６】本実施形態に係るデジタルカメラを見るユーザの姿勢例である。
【図７】本実施形態に係るデジタルカメラのフローチャートである。
【図８】本実施形態に係るデジタルカメラの画面例である。
【発明を実施するための形態】
【０００９】
以下、図面を参照して本発明の好適な実施形態を説明する。図１（Ａ），１（Ｂ）に、本発明を適用可能な装置の一例としてのデジタルカメラ１００の外観図を示す。図１（Ａ）はデジタルカメラ１００の前面斜視図であり、図１（Ｂ）はデジタルカメラ１００の背面斜視図である。
【００１０】
背面表示部２８は、デジタルカメラ１００の背面に設けられた表示部であり、画像や各種情報を表示する。背面表示部２８は、本体部に対する向きを変更可能なバリアングルモニターで構成してもよい。ただし、図１（Ａ）のように、背面表示部２８の表示面が、撮像される被写体と反対側を向くことが可能であるとする。上面表示部４３は、デジタルカメラ１００の上面に設けられた表示部であり、シャッター速度や絞りをはじめとするデジタルカメラ１００の様々な設定値を表示する。端子カバー４０は、デジタルカメラ１００を外部機器に接続する接続ケーブル等のコネクタ（不図示）を保護するカバーである。クイックリターンミラー１２は、システム制御部５０（後述）から指示されて、不図示のアクチュエータによりアップダウンされる。通信端子１０は、デジタルカメラ１００がレンズユニット１５０（後述；着脱可能）側と通信を行うための通信端子である。接眼ファインダー１６は、フォーカシングスクリーン１３（後述）を観察することで、レンズユニット１５０を通して得た被写体の光学像の焦点や構図の確認を行うための覗き込み型のファインダーである。グリップ部９０は、ユーザーがデジタルカメラ１００を構えた際に右手で握りやすい形状とした保持部である。
【００１１】
また、デジタルカメラ１００は複数の操作部（操作部材）７０を有する。複数の操作部７０は、モード切替スイッチ６０、シャッターボタン６１、メイン電子ダイヤル７１、電源スイッチ７２、サブ電子ダイヤル７３、４方向キー７４、Ｍ−Ｆｎボタン７５、及び、動画ボタン７６を含む。複数の操作部７０は、縮小ボタン７７、拡大ボタン７８、ＳＥＴボタン７９、メニューボタン８１、及び、再生ボタン８２も含む。デジタルカメラ１００は、他の操作部材を有していてもよい。各種操作部材については後述する。
【００１２】
図２は、デジタルカメラ１００の構成例を示すブロック図である。
【００１３】
レンズユニット１５０は、交換可能な撮影レンズを搭載するレンズユニットである。レンズ１０３は通常、複数枚のレンズから構成されるが、図２では簡略して一枚のレンズのみで示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、これら通信端子６，１０を介してシステム制御部５０と通信する。そして、レンズユニット１５０は、内部のレンズシステム制御回路４によって絞り駆動回路２を介して絞り１の制御を行う。また、レンズユニット１５０は、レンズシステム制御回路４によってＡＦ駆動回路３を介してレンズ１０３の位置を変位させることで焦点を合わせる。
【００１４】
ＡＥ（自動露出）センサー１７は、レンズユニット１５０を通した被写体（被写体光）の輝度を測光する。
【００１５】
焦点検出部１１は、システム制御部５０にデフォーカス量情報を出力する。システム制御部５０は、デフォーカス量情報に基づいてレンズユニット１５０を制御し、位相差ＡＦを行う。
【００１６】
クイックリターンミラー１２（以下、ミラー１２）は、露光、ライブビュー撮影、動画撮影などの際にシステム制御部５０から指示されて、不図示のアクチュエータによりアップダウンされる。ミラー１２は、レンズ１０３から入射した光束をファインダー１６側と撮像部２２側とに切り替えるためのミラーである。ミラー１２は、通常時は、ファインダー１６へと光束を導く（反射させる）ように配されるが（ミラーダウン）、撮影やライブビュー表示が行われる場合には、撮像部２２へと光束を導くように上方に跳ね上がり光束中から待避する（ミラーアップ）。また、ミラー１２は、その中央部が光の一部を透過できるようにハーフミラーとなっており、光束の一部を、焦点検出を行うための焦点検出部１１に入射するように透過させる。
【００１７】
撮影者は、ペンタプリズム１４とファインダー１６を介して、フォーカシングスクリーン１３を観察することで、レンズユニット１５０を通して得た被写体の光学像の焦点や構図の確認が可能となる。
【００１８】
シャッター１０１は、システム制御部５０の制御で撮像部２２の露光時間を自由に制御できるフォーカルプレーンシャッターである。
【００１９】
撮像部２２は、光学像を電気信号に変換するＣＣＤやＣＭＯＳ素子等で構成される撮像素子である。Ａ／Ｄ変換器２３は、撮像部２２から出力されるアナログ信号をデジタル信号に変換する。
【００２０】
画像処理部２４は、Ａ／Ｄ変換器２３からのデータ、又は、メモリ制御部１５からのデータに対し所定の処理（画素補間、縮小といったリサイズ処理、色変換処理、等）を行う。また、画像処理部２４では、撮像した画像データを用いて所定の演算処理が行われ、得られた演算結果に基づいてシステム制御部５０が露光制御や測距制御を行う。これにより、ＴＴＬ（スルー・ザ・レンズ）方式のＡＦ（オートフォーカス）処理、ＡＥ処理、ＥＦ（フラッシュプリ発光）処理、等が行われる。画像処理部２４では更に、撮像した画像データを用いて所定の演算処理が行われ、得られた演算結果に基づいてＴＴＬ方式のＡＷＢ（オートホワイトバランス）処理も行われる。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、背面表示部２８に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１９は、メモリ３２に格納されている画像表示用のデータをアナログ信号に変換して背面表示部２８に供給する。こうして、メモリ３２に書き込まれた表示用の画像データはＤ／Ａ変換器１９を介して背面表示部２８により表示される。背面表示部２８は、ＬＣＤ等の表示器上で、Ｄ／Ａ変換器１９からのアナログ信号に応じた表示を行う。Ａ／Ｄ変換器２３によってＡ／Ｄ変換されメモリ３２に蓄積されたデジタル信号をＤ／Ａ変換器１９にお
いてＤ／Ａ変換し、背面表示部２８に逐次転送して表示することで、電子ビューファインダー機能が実現でき、スルー画像表示（ライブビュー表示）が行える。以下、ライブビュー表示で表示される画像を「ＬＶ画像」と称する。
【００２３】
ファインダー内表示部４１には、ファインダー内表示部駆動回路４２を介して、現在オートフォーカスが行われている測距点を示す枠（ＡＦ枠）や、カメラの設定状態を表すアイコンなどが表示される。
【００２４】
上面表示部４３には、シャッター速度や絞りをはじめとするデジタルカメラ１００の様々な設定値が表示される。上面表示部４３は、ドットマトリックス液晶表示部であり、デジタルカメラ１００の電源（メイン電源）がオフでも表示状態を維持することが可能な不揮発性表示部である。背面表示部２８は３色以上のカラー表示が可能であるのに対し、上面表示部４３は白黒２色のモノクロ表示のみが可能である。また、上面表示部４３の解像度（ドット数；画素数）は背面表示部２８よりも低く、上面表示部４３は背面表示部２８ほど高精細な表示を行えず、上面表示部４３で表示できる情報量は背面表示部２８よりも少ない。
【００２５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２６】
システム制御部５０は、少なくとも１つのプロセッサーまたは回路からなる制御部であり、デジタルカメラ１００全体を制御する。システム制御部５０は、前述した不揮発性メモリ５６に記録されたプログラムを実行することで、後述する本実施形態の各処理を実現する。システムメモリ５２は例えばＲＡＭであり、システム制御部５０は、システム制御部５０の動作用の定数、変数、不揮発性メモリ５６から読み出したプログラム等をシステムメモリ５２に展開する。また、システム制御部５０は、メモリ３２、Ｄ／Ａ変換器１９、背面表示部２８、上面表示部４３等を制御することにより表示制御も行う。
【００２７】
システムタイマー５３は、各種制御に用いる時間や、内蔵された時計の時間を計測する計時部である。
【００２８】
電源制御部８０は、電池検出回路、ＤＣ−ＤＣコンバータ、通電するブロックを切り替えるスイッチ回路等により構成され、電池の装着の有無、電池の種類、及び、電池残量の検出等を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００２９】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３０】
通信部５４は、無線または有線ケーブルによって接続された外部機器に対して、映像信号や音声信号の送受信を行う。通信部５４は無線ＬＡＮ（Ｌｏｃａｌ  Ａｒｅａ  Ｎｅｔｗｏｒｋ）やインターネットとも接続可能である。また、通信部５４は、Ｂｌｕｅｔｏｏｔｈ（登録商標）やＢｌｕｅｔｏｏｔｈ  Ｌｏｗ  Ｅｎｅｒｇｙでも外部機器と通信可能である。通信部５４は撮像部２２で撮像した画像（ＬＶ画像を含む）や、記録媒体２００に記録された画像を送信可能であり、外部機器から画像データやその他の各種情報を受信
することができる。
【００３１】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像（撮像画像）の画像ファイルに付加したり、画像を回転して記録したりすることが可能である。姿勢検知部５５としては、加速度センサーやジャイロセンサーなどを用いることができる。姿勢検知部５５である加速度センサーやジャイロセンサーを用いて、デジタルカメラ１００の動き（パン、チルト、持ち上げ、静止しているか否か等）を検知することも可能である。
【００３２】
操作部７０は、ユーザーからの操作（ユーザー操作）を受け付ける入力部であり、システム制御部５０に各種の動作指示を入力するために使用される。例えば、操作部７０は、押しボタン、回転ダイヤル、タッチセンサなどである。上述したように、デジタルカメラ１００は複数の操作部７０を有し、複数の操作部７０は、モード切替スイッチ６０、シャッターボタン６１、メイン電子ダイヤル７１、電源スイッチ７２、サブ電子ダイヤル７３、及び、４方向キー７４を含む。複数の操作部７０は、Ｍ−Ｆｎボタン７５、動画ボタン７６、縮小ボタン７７、拡大ボタン７８、ＳＥＴボタン７９、メニューボタン８１、及び、再生ボタン８２も含む。操作部７０である各操作部材は、背面表示部２８に表示される種々の機能アイコンを選択操作することなどにより、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン、等がある。例えば、メニューボタン８１が押下されると、各種の設定が可能なメニュー画面が背面表示部２８に表示される。ユーザーは、背面表示部２８に表示されたメニュー画面と、４方向キー（４方向ボタン）７４やＳＥＴボタン７９とを用いて直感的に各種設定を行うことができる。
【００３３】
モード切替スイッチ６０は、各種モードを切り替えるための操作部材である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）、及び、プログラムＡＥモードがある。また、撮影シーン別の撮影設定となる各種シーンモード、カスタムモード等がある。モード切替スイッチ６０により、ユーザーは、これらのモードのいずれかに直接切り替えることができる。あるいは、モード切替スイッチ６０で撮影モードの一覧画面に一旦切り換えた後に、表示された複数のモードのいずれかに、他の操作部材を用いて選択的に切り替えるようにしてもよい。同様に、動画撮影モードにも複数のモードが含まれていてもよい。
【００３４】
シャッターボタン６１は、撮影指示を行うための操作部材である。シャッターボタン６１は、第１シャッタースイッチ６２と第２シャッタースイッチ６４を備える。第１シャッタースイッチ６２は、シャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１により、ＡＦ処理、ＡＥ処理、ＡＷＢ処理、ＥＦ処理、等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３５】
メイン電子ダイヤル７１は回転操作部材であり、メイン電子ダイヤル７１を回すことで、シャッター速度や絞りなどの設定値の変更等が行える。電源スイッチ７２は、デジタルカメラ１００の電源のＯＮ／ＯＦＦを切り替える操作部材である。サブ電子ダイヤル７３は回転操作部材であり、サブ電子ダイヤル７３を回すことで、選択枠の移動や画像送りなどが行える。４方向キー７４は、上、下、左、右の各部を押し込み可能に構成される。４方向キー７４の押した部分に応じた処理が可能である。
【００３６】
縮小ボタン７７は、拡大された再生画像の拡大率を低減させ、表示された画像を縮小させるためのボタンである。撮影モードで拡大していない場合には、現在の露出で露出を固定するＡＥロックボタンとして機能する。拡大ボタン７８は、撮影モードのライブビュー表示（ＬＶ表示）において拡大モードのＯＮ／ＯＦＦの切り換え及び拡大モード中の拡大率の変更を行うための操作ボタンである。再生モードにおいては、拡大ボタン７８は、再生画像を拡大したり、その拡大率を増加させたりするための拡大ボタンとして機能する。
【００３７】
Ｍ−Ｆｎボタン７５は、カスタマイズ専用のボタンであり、Ｍ−Ｆｎボタン７５を押下することで、ユーザーが登録した機能にショートカットすることができる。動画ボタン７６は、動画の記録を開始／終了させるためのボタンである。ＳＥＴボタン７９は、選択している項目での決定操作等に用いられる。メニューボタン８１は、撮影や再生に関するデジタルカメラ１００の設定メニュー画面を表示させるためのボタンである。再生ボタン８２は、撮影モードと再生モードとを切り替えるためのボタンである。撮影モード中に再生ボタン８２を押下することで再生モードに移行し、記録媒体２００に記録された画像のうち最新の画像を背面表示部２８に表示させることができる。
【００３８】
なお、ユーザーは、デジタルカメラ１００のカスタマイズ機能により、Ｍ−Ｆｎボタン７５に所望の機能を割り当てたり、Ｍ−Ｆｎボタン７５の機能を別の機能にカスタマイズしたりすることが可能である。また、ユーザーは、カスタマイズ機能により、動画ボタン７６、拡大ボタン７８、ＡＥロックボタン７７および第１シャッタースイッチ６２（シャッターボタン６１の半押し）の機能を上述の機能とは別の機能にカスタマイズすることも可能である。本実施形態では、シャッターボタン６１、Ｍ−Ｆｎボタン７５、及び、動画ボタン７６は、上面表示部４３と同様に、デジタルカメラ１００の上面に配置されているものとする。また、拡大ボタン７８とＡＥロックボタン７７は、背面表示部２８と同様に、デジタルカメラ１００の背面に配置されているものとする。割り当てられた機能を変更可能なこれら操作部材を「カスタマイズキー」と呼ぶ。
【００３９】
なお、図１に示すように、複数の操作部７０は、背面表示部２８に対する接触（タッチ操作）を検知可能なタッチパネル７０ａを含んでもよい。タッチパネル７０ａと背面表示部２８とは一体的に構成することができる。
【００４０】
次に、図３（Ａ）〜３（Ｇ）を参照して、カスタマイズキーの割り当てのカスタマイズについて説明する。カスタマイズは、メニューボタン８１を押下して図３（Ａ）のメニュー画面が背面表示部２８に表示されたメニュー表示状態から開始する。
【００４１】
図３（Ａ）のメニュー画面における一番上の選択肢「操作ボタンカスタマイズ」にカーソル３０１を合わせた状態でＳＥＴボタン７９を押下すると、選択肢「操作ボタンカスタマイズ」が選択される。選択肢「操作ボタンカスタマイズ」が選択されると、背面表示部２８の表示画面が、図３（Ａ）のメニュー画面から図３（Ｂ）のキー選択画面に遷移する。図３（Ｂ）のキー選択画面では、カスタマイズキーと現在割り当たっている機能の一覧が表示されている。従って、選択肢「操作ボタンカスタマイズ」にカーソル３０１を合わせた状態でのＳＥＴボタン７９の押下は、カスタマイズキーに割り当てられた機能を示す
ガイド表示の表示指示、ガイド表示指示、等とも言える。
【００４２】
図３（Ｂ）のカーソル３０２は、割り当てを変更したいカスタマイズキーとして選択されている項目の位置を表しており、図３（Ｂ）では、第１シャッタースイッチ６２（シャッターボタン６１の半押し）を表す項目にカーソル３０２があたっている。キー選択画面において、サブ電子ダイヤル７３や４方向キー７４を操作することにより、カーソル３０２を移動して、割り当てを変更したいカスタマイズキーとして別の項目（カスタマイズキーの選択肢）を選択することができる。従って、カーソル３０２を移動するためのサブ電子ダイヤル７３や４方向キー７４の操作は、複数のカスタマイズキーのいずれかを選択するキー選択指示とも言える。キー選択画面の左側には、選択している項目が示すカスタマイズキーの位置（配置）を示す外観図が表示される。
【００４３】
キー選択画面において、上面に配置されたカスタマイズキーである第１シャッタースイッチ６２、Ｍ−Ｆｎボタン７５、及び、動画ボタン７６のいずれかに対応する項目が選択されると、デジタルカメラ１００の上面の外観図が表示される。そして、表示される外観図において、カーソル３０２で選択されている項目に対応するカスタマイズキーの位置にマーク３０４が表示され、どのカスタマイズキーについて選択しているのかがユーザーに分かりやすく通知される。図３（Ｂ）では、上面に配置された第１シャッタースイッチ６２（シャッターボタン６１の半押し）が選択されている。このため、上面の外観図が表示され、当該外観図における第１シャッタースイッチ６２（シャッターボタン６１）の位置にマーク３０４が表示されている。マーク３０４によって、キー選択画面に表示された外観図において、現在選択されているカスタマイズキーが他のカスタマイズキーとは異なる色で識別可能となる。
【００４４】
キー選択画面において、背面に配置されたカスタマイズキーである拡大ボタン７８またはＡＥロックボタン７７に対応する項目が選択されると、デジタルカメラ１００の背面の外観図が表示される。図３（Ｃ）は、キー選択画面でカーソル３０２を移動して、ＡＥロックボタン７７を表す項目（カスタマイズキーの選択肢）にカーソル３０２をあてた状態を示している。図３（Ｃ）では、背面に配置されたＡＥロックボタン７７が選択されているため、表示される外観図は背面の外観図となり、当該外観図におけるＡＥロックボタン７７の位置にマーク３０４が表示されている。
【００４５】
カーソル３０２で項目（カスタマイズキーの選択肢）が選択された状態でＳＥＴボタン７９を押下することにより、カーソル３０２で選択されている項目に対応するカスタマイズキーが、割り当てられた機能の変更対象として決定される。従って、カーソル３０２で項目が選択された状態でのＳＥＴボタン７９を押下は、割り当てられた機能の変更対象であるカスタマイズキーを決定する対象キー決定指示とも言える。例えば、図３（Ｃ）の状態でＳＥＴボタン７９を押下することにより、ＡＥロックボタン７７が割り当ての変更対象として決定され、背面表示部２８の表示画面が、図３（Ｃ）のキー選択画面から図３（Ｄ）の機能選択画面に遷移する。
【００４６】
図３（Ｄ）の機能選択画面では、ＡＥロックボタン７７に割り当て可能な機能の一覧が表示されており、当該一覧からＡＥロックボタン７７に割り当てる機能を選択することができる。初期状態ではＡＥロック／ＦＥロック機能が割り当たっているため、カーソル３０５が、複数の項目（複数の機能にそれぞれ対応する複数の選択肢）のうち、ＡＥロック／ＦＥロック機能に対応する項目の位置にある。
【００４７】
機能選択画面において、サブ電子ダイヤル７３や４方向キー７４を操作することにより、カーソル３０５の位置を変更して、割り当てたい機能を選択（仮決定）することができる。そして、カーソル３０５で項目（機能の選択肢）が選択された状態でＳＥＴボタン７
９を押下することにより、カーソル３０５で選択されている項目に対応する機能を、上記変更対象のカスタマイズキーの機能として確定（本決定）することができる。従って、カーソル３０５を移動するためのサブ電子ダイヤル７３や４方向キー７４の操作は、割り当てたい機能を選択する機能選択指示とも言える。そして、カーソル３０５で項目が選択された状態でのＳＥＴボタン７９を押下は、機能の割り当てを確定する割当確定指示とも言える。
【００４８】
例えば、サブ電子ダイヤル７３や４方向キー７４を操作することにより、図３（Ｅ）のように、ＦＥロック機能の項目にカーソル３０５を移動させることができる。図３（Ｅ）の状態でＳＥＴボタン７９が押下されると、背面表示部２８の表示画面が、図３（Ｅ）の機能選択画面から図３（Ｆ）のキー選択画面に遷移し、ＡＥロックボタン７７にＦＥロック機能が割り当たる。図３（Ｆ）のキー選択画面では、ＡＥロックボタン７７の項目によって表される機能が、ＦＥロック機能に変わっている（アイコンの変更）。
【００４９】
このようにしてユーザーは、自身の撮影のスタイルや好みに合わせて、第１シャッタースイッチ６２、Ｍ−Ｆｎボタン７５、動画ボタン７６、ＡＥロックボタン７７、及び、拡大ボタン７８の機能割り当てを変更することができる。
【００５０】
図３（Ｇ）は、キー選択画面でカーソル３０２を移動して、Ｍ−Ｆｎボタン７５を表す項目（カスタマイズキーの選択肢）にカーソル３０２をあてた状態を示している。図３（Ｇ）では、上面に配置されたＭ−Ｆｎボタン７５が選択されているため、表示される外観図は上面の外観図となり、当該外観図におけるＭ−Ｆｎボタン７５の位置にマーク３０４が表示されている。
【００５１】
図４に、各カスタマイズキーに割り当て可能な機能の一覧を例示する。図４の例では、第１シャッタースイッチ６２（シャッターボタン６１の半押し）に対して、測光・ＡＦ開始機能、測光開始機能、及び、ＡＥロック機能のいずれかが割り当て可能である。ＡＥロックボタン７７に対しては、ＡＥロック／ＦＥロック機能、測光・ＡＦ開始機能、ＡＦ停止機能、ＡＥロック機能、ＦＥロック機能、及び、無効（機能を割り当てない状態）のいずれかが割り当て可能である。Ｍ−Ｆｎボタン７５に対しては、ＩＳＯ感度機能、動画記録開始終了機能、ストロボ発光機能、露出補正機能、ＭＦ機能、記録画質切替機能、拡大機能、測光モード機能、ホワイトバランス機能、及び、無効のいずれかが割り当て可能である。動画ボタン７６と拡大ボタン７８に割り当て可能な機能は、Ｍ−Ｆｎボタン７５に割り当て可能な機能と同じである。
【００５２】
次に、図５を参照して、上面表示部４３について説明する。上面表示部４３はデジタルカメラ１００の上面に取り付けられており、デジタルカメラ１００の設定情報を表示する。図５は撮影待機状態での画面例を表示しており、図５の画面では、Ｔｖ、Ａｖ、露出補正、ＩＳＯといった撮影の基本的な情報が表示されている。
【００５３】
次に、図６（Ａ），６（Ｂ）を参照して、本実施形態において解決される課題を説明する。図３（Ａ）〜３（Ｇ）を用いて説明したように、ユーザーは、カスタマイズキーと現在割り当たっている機能の一覧を表示し、自身の撮影のスタイルや好みに合わせて割り当てをカスタマイズすることが可能である。しかし、図３（Ｇ）に示したようにデジタルカメラ１００の上面にあるＭ−Ｆｎボタン７５をカスタマイズする場合において、カスタマイズを容易に行えない。具体的には、背面表示部２８を視認する際のユーザーの姿勢は図６（Ａ）のような姿勢となるが、上面に備えられたＭ−Ｆｎボタン７５の実物を確認する際のユーザーの姿勢は図６（Ｂ）のような姿勢となる。そして、上面のカスタマイズキーのガイダンスを背面表示部２８にのみ表示すると、図６（Ａ）の姿勢と図６（Ｂ）の姿勢との間での姿勢の変更などを行わなければならず、煩わしい。そこで、本実施形態では、
上面や背面に配置された複数のカスタマイズキーについて、操作面ごとにカスタマイズキーの実際の配置を見ながら割り当てを確認できるように表示する方法を説明する。
【００５４】
以下、図７，８（Ａ）〜８（Ｆ）を参照して、デジタルカメラ１００の動作を説明する。図７は、デジタルカメラ１００で行われるカスタマイズ処理のフローチャートである。このフローチャートにおける各処理は、システム制御部５０が不揮発性メモリ５６に記録されたプログラムをシステムメモリ５２に展開して実行することにより実現される。図７のフローチャートはメニュー表示状態から開始する。図８（Ａ）に示すように、メニュー表示状態では、システム制御部５０により、図３（Ａ）に示すようなメニュー画面が背面表示部２８に表示され、図５に示すような基本画面（撮影の基本的な情報を表示する画面）が上面表示部４３に表示される。
【００５５】
Ｓ７０１では、システム制御部５０は、ガイド表示指示があったか否か、すなわち選択肢「操作ボタンカスタマイズ」が選択されたか否かを判定する。選択肢「操作ボタンカスタマイズ」が選択された場合はＳ７０２に進み、そうでない場合はＳ７０１に進む。
【００５６】
Ｓ７０２では、システム制御部５０は、選択肢「操作ボタンカスタマイズ」が選択されたことを受け、背面表示部２８の表示画面を図８（Ａ）のメニュー画面から図８（Ｂ）のキー選択画面に遷移させる。図８（Ｂ）に示すように、キー選択画面では、デジタルカメラ１００に備えられた全てのカスタマイズキーと現在割り当たっている機能の一覧が表示される。また、カーソル３０２も表示される。図８（Ｂ）では、カーソル３０２は、複数の項目（カスタマイズキーの選択肢）のうち一番上の項目にあたっている。
【００５７】
Ｓ７０３では、システム制御部５０は、選択肢「操作ボタンカスタマイズ」が選択されたことを受け、上面表示部４３の表示画面を図８（Ａ）の基本画面から図８（Ｂ）の割当表示画面に遷移させる。図８（Ｂ）に示すように、割当表示画面では、上面に配置されたカスタマイズキーと現在割り当たっている機能の一覧が表示される。上面とは異なる面に配置されたカスタマイズキーについては表示されない。また、カスタマイズキーの位置（配置）を示す外観図も表示されない。
【００５８】
Ｓ７０４では、システム制御部５０は、複数の項目（カスタマイズキーの選択肢）のうち一番上の項目に対応するカスタマイズキー、すなわちキー選択画面のカーソル３０２によって選択されているカスタマイズキーが上面に配置されているか否かを判定する。上面に配置されている場合はＳ７０５に進み、そうでない場合はＳ７０６に進む。
【００５９】
Ｓ７０５では、システム制御部５０は、キー選択画面のカーソル３０２によって選択されているカスタマイズキーが上面に配置されていることを受け、上面表示部４３の割当表示画面にカーソル８０１を表示する。図８（Ｂ）のキー選択画面では、上面に配置された第１シャッタースイッチ６２（シャッターボタン６１の半押し）が選択されている。このため、図８（Ｂ）の割当表示画面では、第１シャッタースイッチ６２（シャッターボタン６１の半押し）に対応する項目にカーソル８０１が表示されている。これにより、ユーザーは、第１シャッタースイッチ６２（シャッターボタン６１の半押し）がキー選択画面のカーソル３０２によって選択されていることを容易に識別できる。
【００６０】
Ｓ７０６では、システム制御部５０は、キー選択画面のカーソル３０２によって選択されているカスタマイズキーが上面に配置されていないことを受け、上面表示部４３の割当表示画面にカーソル８０１を表示しない。
【００６１】
Ｓ７０７では、システム制御部５０は、カスタマイズキーを選択するキー選択指示、すなわちサブ電子ダイヤル７３や４方向キー７４の操作があったか否かを判定する。サブ電
子ダイヤル７３や４方向キー７４の操作があった場合はＳ７０８に進み、そうでない場合はＳ７１２に進む。
【００６２】
Ｓ７０８では、システム制御部５０は、サブ電子ダイヤル７３や４方向キー７４の操作があったことを受け、キー選択画面におけるカーソル３０２の位置を変更する。例えば、背面表示部２８の表示画面が、図８（Ｂ）のキー選択画面から図８（Ｃ）のキー選択画面に遷移する。
【００６３】
Ｓ７０９では、システム制御部５０は、サブ電子ダイヤル７３や４方向キー７４の操作があったことを受け、キー選択画面のカーソル３０２によって選択されているカスタマイズキーが上面に配置されているか否かを判定する。上面に配置されている場合はＳ７１０に進み、そうでない場合はＳ７１１に進む。
【００６４】
Ｓ７１０では、システム制御部５０は、キー選択画面のカーソル３０２によって選択されているカスタマイズキーが上面に配置されていることを受け、上面表示部４３の割当表示画面にカーソル８０１を表示する。カーソル８０１は、キー選択画面のカーソル３０２によって選択されているカスタマイズキーの項目に表示される。カーソル８０１が表示されている場合には、キー選択画面のカーソル３０２によって選択されているカスタマイズキーの項目にカーソル８０１が表示されるように、カーソル８０１の位置が変更される。
【００６５】
Ｓ７１１では、システム制御部５０は、キー選択画面のカーソル３０２によって選択されているカスタマイズキーが上面に配置されていないことを受け、上面表示部４３の割当表示画面にカーソル８０１を表示しない。カーソル８０１が表示されている場合には、カーソル８０１が割当表示画面から消去される。例えば、図８（Ｃ）のキー選択画面では、背面に配置されたＡＥロックボタン７７が選択されているため、図８（Ｃ）の割当表示画面では、カーソル８０１が表示されていない。これにより、上面に配置されたカスタマイズキーが選択されていないことを容易に識別できる。
【００６６】
Ｓ７１２では、システム制御部５０は、割り当てられた機能の変更対象であるカスタマイズキー（対象カスタマイズキー）を決定する対象キー決定指示、すなわちＳＥＴボタン７９の押下があったか否かを判定する。ＳＥＴボタン７９の押下があった場合はＳ７１３に進み、そうでない場合はＳ７０７に進む。
【００６７】
Ｓ７１３では、システム制御部５０は、ＳＥＴボタン７９の押下があったことを受け、背面表示部２８の表示画面をキー選択画面から機能選択画面に遷移させる。機能選択画面では、対象カスタマイズキーに割り当て可能な機能の一覧が表示される。また、カーソル３０５も表示される。例えば、Ｍ−Ｆｎボタン７５が対象カスタマイズキーとして決定された場合には、Ｍ−Ｆｎボタン７５に割り当て可能な機能の一覧が背面表示部２８に表示されるように、背面表示部２８の表示画面がキー選択画面から図８（Ｄ）の機能選択画面に遷移する。
【００６８】
Ｓ７１４では、対象カスタマイズキーが上面に配置されている場合に、システム制御部５０は、ＳＥＴボタン７９の押下があったことを受け、割当表示画面における対象カスタマイズキーの項目を点滅させる。これにより、ユーザーは、上面に配置されているカスタマイズキーが対象カスタマイズキーとして決定されたことを、上面表示部４３の割当表示画面で容易識別できる。図８（Ｄ）の機能選択画面では、上面に配置されたＭ−Ｆｎボタン７５が対象カスタマイズキーとして決定されているため、図８（Ｄ）の割当表示画面では、Ｍ−Ｆｎボタン７５に対応する項目が点滅していする。
【００６９】
Ｓ７１５では、システム制御部５０は、割り当てたい機能を選択する機能選択指示、す
なわちサブ電子ダイヤル７３や４方向キー７４の操作があったか否かを判定する。サブ電子ダイヤル７３や４方向キー７４の操作があった場合はＳ７１６に進み、そうでない場合はＳ７１２に進む。
【００７０】
Ｓ７１６では、システム制御部５０は、サブ電子ダイヤル７３や４方向キー７４の操作があったことを受け、機能選択画面におけるカーソル３０５の位置を変更する。例えば、背面表示部２８の表示画面が、図８（Ｄ）の機能選択画面から図８（Ｅ）の機能選択画面に遷移する。
【００７１】
Ｓ７１７では、対象カスタマイズキーが上面に配置されている場合に、システム制御部５０は、サブ電子ダイヤル７３や４方向キー７４の操作があったことを受け、割当表示画面における対象カスタマイズキーの項目によって表された機能を変更する。例えば、図８（Ｄ）の機能選択画面から図８（Ｅ）の機能選択画面への遷移では、ＩＳＯ感度機能の位置から動画記録開始終了機能の位置にカーソル３０５が移動している。このため、割当表示画面における対象カスタマイズキーの項目によって表された機能がＩＳＯ感度機能から動画記録開始終了機能に変わるように、上面表示部４３の表示画面が図８（Ｄ）の割当表示画面から図８（Ｅ）の割当表示画面に遷移する。
【００７２】
Ｓ７１８では、システム制御部５０は、機能の割り当てを確定する割当確定指示、すなわちＳＥＴボタン７９の押下があったか否かを判定する。ＳＥＴボタン７９の押下があった場合はＳ７１９に進み、そうでない場合はＳ７１５に進む。
【００７３】
Ｓ７１９では、システム制御部５０は、カーソル３０５で選択されている項目に対応する機能が対象カスタマイズキーの機能として確定されるように、対象カスタマイズキーの設定値を確定して不揮発性メモリ５６を記録（上書き）する。また、システム制御部５０は、背面表示部２８の表示画面をキー選択画面に戻し、上面表示部４３でＳ７１４の点滅表示が行われている場合には当該点滅表示を解除（停止）する。例えば、図８（Ｅ）の状態でＳＥＴボタン７９を押下すると、背面表示部２８の表示画面が図８（Ｅ）の割当表示画面から図８（Ｆ）のキー選択画面に遷移する。そして、上面表示部４３の表示画面が図８（Ｅ）の割当表示画面（点滅あり）から図８（Ｆ）の割当表示画面（点滅なし）に遷移する。
【００７４】
以上説明した処理によれば、ユーザーは、図８（Ｂ）の割当表示画面（上面表示部４３）を見ることで、現在の上面のカスタマイズキーの割当状況、及び、現在選択しているカスタマイズキーを確認することができる。つまり、ユーザーは、キー選択画面を表示した後は、図６（Ｂ）に示したような上面を見る姿勢のままで、それらを確認することができる。従って、図６（Ａ）のような姿勢と図６（Ｂ）のような姿勢とを交互に繰り返すことなく、上面のカスタマイズキーへの機能の割当状況を確認できる。そして、割り当てる機能を変更したいカスタマイズキーがある場合に、当該カスタマイズキーを選択できているか否かを、上面を見ながら（上面のカスタマイズボタンの実物を見ながら）確認できる。
【００７５】
また、操作部７０（特に、メイン電子ダイヤル７１、サブ電子ダイヤル７３、ＳＥＴボタン）への操作は、図６（Ｂ）に示す通り、上面を見る姿勢のままでも行うことができるため、上面を見たまま、上面のカスタマイズキーの選択操作まで行うことができる。また、現在の上面のカスタマイズキーの割当状況を、上面表示部４３の限られた表示能力を用いて効果的に表示することができる。また、背面に備えられたカスタマイズキーについても、図６（Ａ）に示したような、デジタルカメラ１００の背面を見る姿勢で、現在の背面のカスタマイズキーの割当状況、及び、現在選択しているカスタマイズキーを確認することができる。
【００７６】
このように、本実施形態によれば、機器の異なる面に配置された複数のカスタマイズキーについて、配置された操作面ごとに、カスタマイズキーの実物と一緒に割当状況をユーザーが見やすいように表示される。従って、カスタマイズキーへの機能の割り当て作業における、機器を見るユーザーの姿勢変更の手間を減らし、スムーズかつ確実にカスタマイズ作業が行えるようになる。
【００７７】
なお、システム制御部５０が行うものとして説明した上述の各種制御は、１つのハードウェアが行ってもよいし、複数のハードウェア（例えば、複数のプロセッサーや回路）が処理を分担することで、装置全体の制御を行ってもよい。
【００７８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７９】
例えば、カスタマイズキーや表示部が設けられる面は、機器の上面や背面でなくてもよく、機器の側面や底面などであってもよい。背面表示部２８の解像度、背面表示部２８の表示色数、上面表示部４３の解像度、及び、上面表示部４３の表示色数は特に限定されない。背面表示部２８の解像度は上面表示部４３の解像度以下であってもよいし、背面表示部２８の表示色数は上面表示部４３の表示色数以下であってもよい。ガイド表示指示は、カスタマイズキーに割り当てられた機能を示す表示を開始するための指示であればよく、カスタマイズキーに割り当てられた機能の変更を開始するための指示でなくてもよい。
【００８０】
背面表示部２８のキー選択画面において上面のカスタマイズキーに割り当てられた機能と背面のカスタマイズキーに割り当てられた機能との両方が示される例を説明したが、これに限られない。例えば、キー選択画面において、上面のカスタマイズキーに割り当てられた機能は示されずに、背面のカスタマイズキーに割り当てられた機能が示されてもよい。上面表示部４３の割当表示画面において、背面のカスタマイズキーに割り当てられた機能は示されずに、上面のカスタマイズキーに割り当てられた機能が示される例を説明したが、これに限られない。例えば、割当表示画面において、背面のカスタマイズキーに割り当てられた機能が、上面のカスタマイズキーに割り当てられた機能とは異なる態様で示されてもよい。
【００８１】
背面表示部２８のキー選択画面では外観図によってカスタマイズキーの配置が示され、上面表示部４３の割当表示画面ではカスタマイズキーの配置が示されない例を説明したが、これに限られない。割当表示画面でもカスタマイズキーの配置が示されてよい。カスタマイズキーの配置の示し方は、特に限定されず、外観図を用いない方法でもよい。
【００８２】
特定のカスタマイズキーや機能を識別方法は、カーソル表示や点滅表示などによる方法に限られない。例えば、他のアイテムの表示、特定のカスタマイズキーに対応する項目の形状の変更、等によって特定のカスタマイズキーや機能が識別可能にされてもよい。点滅表示では、項目ではなくカーソルが点滅してもよいし、項目とカーソルの両方が点滅してもよい。
【００８３】
また、上述した実施形態においては、本発明をデジタルカメラ（撮像装置）に適用した場合を例にして説明したが、これはこの例に限定されず異なる面に複数のカスタマイズキーを有する電子機器であれば適用可能である。例えば、本発明は、パーソナルコンピュータやＰＤＡ、携帯電話端末、携帯型の画像ビューワ、プリンタ装置、デジタルフォトフレーム、音楽プレーヤー、ゲーム機、電子ブックリーダー、映像プレーヤーなどに適用可能である。また、本発明は、表示装置（投影装置を含む）、タブレット端末、スマートフォ
ン、ＡＩスピーカー、家電装置、車載装置、医療機器などにも適用可能である。
【００８４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８５】
１００：デジタルカメラ  ７７：縮小ボタン（ＡＥロックボタン）
７８：拡大ボタン  ６２：第１シャッタースイッチ  ７５：Ｍ−Ｆｎボタン
７６：動画ボタン  ２８：背面表示部  ４３：上面表示部  ５０：システム制御部
【図１】
2019193131.tif 000003
【図２】
2019193131.tif 000004
【図３】
2019193131.tif 000005
【図４】
2019193131.tif 000006
【図５】
2019193131.tif 000007
【図６】
2019193131.tif 000008
【図７】
2019193131.tif 000009
【図８】
2019193131.tif 000010